(57)【要約】      （修正有）【課題】ウオータータイトトンネル工事において支保工を用いることなく鉄筋を固定するための鉄筋の固定具を提供する。【解決手段】板状体１１の一面１１ａには接着手段１３を備えさせ、板状体には雌ねじ部１５を設け、雌ねじ部に棒状体１７の一端１７ａを螺合させることにより棒状体を板状体の他面１１ｂに立設し、棒状体には筒状体１９を遊嵌し、筒状体の壁部１９ａには壁部を内外に貫く透孔を形成し、筒状体の外面には雌ねじ体を透孔に連通させた状態で固定し、雌ねじ体には頭部を備えたボルトを螺嵌し、ボルトを締め付けることにより筒状体を棒状体に固定するようにしてなり、板状体の一面を接着手段により防水シートに接着し、ボルトに鉄筋を固定手段により固定するようにしたウオータータイトトンネル工事における鉄筋の固定具。【選択図】図１
2016160583.tif 000002
【特許請求の範囲】
【請求項１】
板状体の一面には接着手段を備えさせ、該板状体には雌ねじ部を設け、該雌ねじ部に棒状体の一端を螺合させることにより該棒状体を該板状体の他面に立設し、該棒状体には筒状体を遊嵌し、該筒状体の壁部には該壁部を内外に貫く透孔を形成し、該筒状体の外面には雌ねじ体を該透孔に連通させた状態で固定し、該雌ねじ体には頭部を備えたボルトを螺嵌し、該ボルトを締め付けることにより該筒状体を該棒状体に固定するようにしてなり、
前記板状体の一面を前記接着手段により防水シートに接着し、前記ボルトに鉄筋を固定手段により固定するようにしたことを特徴とするウオータータイトトンネル工事における鉄筋の固定具。
【請求項２】
前記雌ねじ部は前記板状体の他面に備えさせたナットであることを特徴とする請求項１に記載のウオータータイトトンネル工事における鉄筋の固定具。
【発明の詳細な説明】
【技術分野】
【０００１】
本発明は、ウオータータイトトンネル工事における鉄筋の固定具に関するものである。
【背景技術】
【０００２】
ウオータータイトトンネル工事においては、一例として、特開２０１０−２４６６７号公報に示すように、掘削したトンネルの地山１の内面にコンクリートよりなる一次覆工３を形成し、該一次覆工３の内面に緩衝材５を介して防水シート７を敷設し、該防水シート７の内面に鉄筋を組んでコンクリートを打設してなる二次覆工９を形成している。図５参照。
【０００３】
このようなウオータータイトトンネル工事においては、防水シートにたわみが生じ、該防水シートの内面に組まれた段取り筋、補強筋等の鉄筋が不安定になりやすいため、該鉄筋を固定するために該防水シートの内面に支保工が等間隔で配設される。
【先行技術文献】
【特許文献】
【０００４】
【特許文献１】特開２０１０−２４６６７号公報
【発明の概要】
【発明が解決しようとする課題】
【０００５】
しかるに、鉄筋を固定するために防水シートの内面に支保工を等間隔で配設する場合には、該支保工に鉄筋を溶接ないし結束線により固定する必要があり、支保工の配設に要する人件費、及び支保工の材料費等が嵩むという問題がある。
【０００６】
本発明は、上記従来の技術におけるこのような問題を解決し、支保工を用いることなく鉄筋を固定するための鉄筋の固定具を提供しようとしてなされたものである。
【課題を解決するための手段】
【０００７】
上記課題を解決するために、本発明は、下記の鉄筋の固定具を提供するものである。
【０００８】
（１）板状体の一面には接着手段を備えさせ、該板状体には雌ねじ部を設け、該雌ねじ部に棒状体の一端を螺合させることにより該棒状体を該板状体の他面に立設し、該棒状体には筒状体を遊嵌し、該筒状体の壁部には該壁部を内外に貫く透孔を形成し、該筒状体の外面には雌ねじ体を該透孔に連通させた状態で固定し、該雌ねじ体には頭部を備えたボルトを螺嵌し、該ボルトを締め付けることにより該筒状体を該棒状体に固定するようにしてなり、
前記板状体の一面を前記接着手段により防水シートに接着し、前記ボルトに鉄筋を固定手段により固定するようにしたことを特徴とするウオータータイトトンネル工事における鉄筋の固定具（請求項１）。
【０００９】
（２）前記雌ねじ部は前記板状体の他面に備えさせたナットである（請求項２）。
【発明の効果】
【００１０】
本発明による鉄筋の固定具によれば、板状体の一面を接着手段により防水シートに接着し、該防水シートの内面の鉄筋を該固定具のボルトに固定手段により固定するようにしているため、ウオータータイトトンネル工事において支保工を配設する必要がない。したがって、支保工の配設作業に要する人件費、及び支保工の材料費等が不要になる。
【００１１】
鉄筋の固定具における棒状体は、板状体に設けた雌ねじ部に該棒状体の一端を螺合させることにより該板状体に立設させるようにしているため、該棒状体は該板状体と分離した状態で容易に保管、運搬することができ、工事現場で該棒状体を該板状体に容易に立設させることができる。
【図面の簡単な説明】
【００１２】
【図１】図１は、本発明による鉄筋の固定具の一例を示す斜視図である。
【図２】図２は、鉄筋の固定具の使用状態の一例を拡大して示す正面図である。
【図３】図３は、鉄筋の固定具の使用状態を示す別の正面図である。
【図４】図４は、筒状体と雌ねじ体とを示す断面図である。
【図５】図５は、ウオータータイトトンネルの一部を示す断面図である。
【発明を実施するための形態】
【００１３】
ウオータータイトトンネル工事においては、前述の如く、一例として図５に示すように、掘削したトンネルの地山１の内面にコンクリートよりなる一次覆工３を形成し、該一次覆工３の内面に緩衝材５を介して防水シート７を敷設し、該防水シート７の内面に鉄筋を組んでコンクリートを打設してなる二次覆工９を形成している。
【００１４】
次に、本発明による鉄筋の固定具について説明する。
符号１１に示すものは板状体である。板状体１１は、図１に示す事例においては、平面視略円形状であるが、平面視略正方形状、長方形状、楕円形状、多角形状等いかなる形状を備えたものであっても差し支えない。
【００１５】
板状体１１の一面１１ａには接着手段１３を備えさせる。接着手段１３としては、一例として、両面接着シートを用いる。
【００１６】
板状体１１には雌ねじ部１５を備えさせる。雌ねじ部１５は、一例として、ナットとし、該ナットを板状体１１の他面１１ｂに溶接等により固着する。
【００１７】
雌ねじ部１５に棒状体１７の一端１７ａを螺合させることにより該棒状体１７を該板状体１１の他面１１ｂに立設する。すなわち、棒状体１７は、少なくともその一端１７ａに雌ねじ部１５の雌ねじ１５ａに対応する雄ねじ１７ｂを備えている。図示の事例においては、棒状体１７は、その一端１７ａのみならず、その全長にわたって雄ねじ１７ｂを備えている。
【００１８】
棒状体１７には筒状体１９を遊嵌する。該筒状体１９の壁部１９ａには該壁部１９ａを内外に貫く透孔２１を形成する。該筒状体１９の外面には雌ねじ２３ａを備えた雌ねじ体２３を該透孔２１に連通させた状態で固定する。該雌ねじ体２３には頭部２５ａを備えたボルト２５を螺嵌し、該ボルト２５を締め付けることにより該筒状体１９を棒状体１７に固定するようにしてなす。
【００１９】
前記板状体１１の一面１１ａを接着手段１３により防水シート７に接着し、前記ボルト２５に段取り筋、補強筋等の鉄筋２７を固定手段２９により固定する。該固定手段２９としては、例えば、適宜の固定具、ワイヤ等が用いられる。
【符号の説明】
【００２０】
１  地山
３  一次覆工
５  緩衝材
７  防水シート
９  二次覆工
１１  板状体
１１ａ  一面
１１ｂ  他面
１３  接着手段
１５  雌ねじ部
１５ａ  雌ねじ
１７  棒状体
１７ａ  一端
１７ｂ  雄ねじ
１９  筒状体
１９ａ  壁部
２１  透孔
２３  雌ねじ体
２３ａ  雌ねじ
２５  ボルト
２５ａ  頭部
２７  鉄筋
２９  固定手段
【図１】
2016160583.tif 000003
【図２】
2016160583.tif 000004
【図３】
2016160583.tif 000005
【図４】
2016160583.tif 000006
【図５】
2016160583.tif 000007